(57)【要約】【課題】使用者の負担を軽減するとともに設置場所の確保を容易にして利便性の高い冷蔵庫を提供する。【解決手段】冷却器１７による冷却と加熱装置１５による加熱とによって貯蔵物を冷却保存する低温側と加熱食品を保温する高温側とに室内温度を切り替えできる温度切替室３を有した冷蔵庫１と、設定操作を行う操作部６６を有するとともに操作部６６の設定情報に基づいて冷蔵庫１と通信して温度切替室３の温度帯を切り替えるリモートコントローラ６１とを備えた。【選択図】図８
2007120876.tif 000002
【特許請求の範囲】
【請求項１】
冷却器による冷却と加熱装置による加熱とによって貯蔵物を冷却保存する低温側と加熱食品を保温する高温側とに室内温度を切り替えできる温度切替室を有した冷蔵庫と、設定操作を行う操作部を有するとともに前記操作部の設定情報に基づいて前記冷蔵庫と通信して前記温度切替室の温度帯を切り替えるリモートコントローラとを備えたことを特徴とする冷蔵庫システム。
【請求項２】
前記リモートコントローラはタイマーを有し、前記タイマーの計時により所定の時期に前記温度切替室の温度帯が切り替えられることを特徴とする請求項１に記載の冷蔵庫システム。
【請求項３】
前記タイマーの計時により前記温度切替室内を所定時間加熱した後、前記加熱装置を停止して前記冷却器で生成した冷気を前記温度切替室に導入する解凍モードを前記リモートコントローラにより設定可能にしたことを特徴とする請求項２に記載の冷蔵庫システム。
【請求項４】
前記リモートコントローラは前記冷蔵庫と異なる機器の動作状態を受信可能に構成され、該機器の動作に連動して前記温度切替室の温度帯を切り替えることを特徴とする請求項１〜請求項３のいずれかに記載の冷蔵庫システム。
【請求項５】
前記リモートコントローラは前記温度切替室の動作状態を表示する表示部を有することを特徴とする請求項１〜請求項４のいずれかに記載の冷蔵庫システム。
【発明の詳細な説明】
【技術分野】
【０００１】
本発明は、ユーザにより所望の室内温度に切り替えることができる温度切替室を有する冷蔵庫を備えた冷蔵庫システムに関する。
【背景技術】
【０００２】
生活環境の変化が著しい昨今においては、家族それぞれが食事を摂る時間が異なる家庭が増えている。このため、加熱食品を保温するために保温箱や保温用収納容器が用いられる。これにより、調理を何度も行う手間を省くことができる。
【０００３】
一方、冷凍室及び冷蔵室に加えて温度切替室を備えた冷蔵庫が特許文献１に開示されている。この冷蔵庫は、温度切替室に送出される冷気の通路を開閉するダンパ装置と、温度切替室を昇温するヒータとを備えている。これにより、温度切換室の室内温度を使用者の用途に応じて冷凍、冷蔵、パーシャル、チルド等の所望の低温の温度帯に切り替えることができる。
【特許文献１】特開平１０−２８８４４０号公報
【発明の開示】
【発明が解決しようとする課題】
【０００４】
しかしながら、加熱食品を保温するために保温箱や収納容器を用いると設置場所の確保が困難な問題や使用者の経済的負担が大きくなる問題がある。また、食品を移し替える煩雑な作業を必要とし、利便性が悪い問題があった。
【０００５】
本発明は、使用者の負担を軽減するとともに場所の確保を容易にして利便性の高い冷蔵庫を備えた冷蔵庫システムを提供することを目的とする。
【課題を解決するための手段】
【０００６】
上記目的を達成するために本発明は、冷却器による冷却と加熱装置による加熱とによって貯蔵物を冷却保存する低温側と加熱食品を保温する高温側とに室内温度を切り替えできる温度切替室を有した冷蔵庫と、設定操作を行う操作部を有するとともに前記操作部の設定情報に基づいて前記冷蔵庫と通信して前記温度切替室の温度帯を切り替えるリモートコントローラとを備えたことを特徴としている。
【０００７】
この構成によると、温度切替室は低温側に切り替えられると冷却器から冷気が導入され、冷凍、チルド、冷蔵等の低温室となる。これにより、貯蔵物を冷却保存できる。温度切替室は高温側に切り替えられるとヒータが駆動され、高温の高温室となる。これにより、加熱調理済み食品の一時的な保温や冬場の温調理等ができる。
【０００８】
また、リモートコントローラの操作部の操作信号が冷蔵庫に送信され、冷却器による冷気の流れや加熱装置を制御して温度切替室が低温側の各温度帯や高温側に切り替えられる。リモートコントローラと冷蔵庫との間の通信手段は赤外線通信、無線ＬＡＮ、有線ＬＡＮ等から成る。
【０００９】
また本発明は上記構成の冷蔵庫において、前記リモートコントローラはタイマーを有し、前記タイマーの計時により所定の時期に前記温度切替室の温度帯が切り替えられることを特徴としている。この構成によると、リモートコントローラの操作部の操作により、タイマーの計時が開始される。使用者が設定した時間をタイマーが計時すると温度切替室が低温側の各温度帯や高温側に切り替えられる。
【００１０】
また本発明は上記構成の冷蔵庫において、前記加熱装置の駆動により前記温度切替室内を所定時間加熱した後、前記加熱装置を停止して前記冷却器で生成した冷気を前記温度切替室に導入する解凍モードを設け、前記リモートコントローラにより前記解凍モードを設定可能にしたことを特徴としている。この構成によると、操作部の操作により温度切替室が解凍モードに切り替えられると、温度切替室内の冷凍食品は所定時間高温に維持された後、氷点以上の温度で冷却保存される。
【００１１】
また本発明は上記構成の冷蔵庫において、前記リモートコントローラは前記冷蔵庫と異なる機器の動作状態を受信可能に構成され、該機器の動作に連動して前記温度切替室の温度帯を切り替えることを特徴としている。この構成によると、例えば、リモートコントローラと通信可能な電子レンジによる調理が開始されると、リモートコントローラの指示により温度切替室が高温側に切り替えられる。これにより、温度切替室が調理後の食品を保温可能な状態になる。
【００１２】
また本発明は上記構成の冷蔵庫において、前記リモートコントローラは前記温度切替室の動作状態を表示する表示部を有することを特徴としている。この構成によると、温度切替室の温度帯やタイマーの計時による待機時間等がリモートコントローラの表示部に表示される。
【発明の効果】
【００１３】
本発明によると、貯蔵物を冷却保存する低温側と加熱食品を保温する高温側とに室内温度を切り替えできる温度切替室を備えたので、加熱食品を保温するための使用者の経済的負担を軽減するとともに場所の確保を容易にして利便性の高い冷蔵庫を提供することができる。また、温度切替室の温度帯を切り替えるリモートコントローラを備えるので、使用者は調理等を行いながら冷蔵庫から離れて温度切替室の温度帯を切り替えることができる。従って、冷蔵庫の利便性がより向上する。
【００１４】
また本発明によると、リモートコントローラがタイマーを有するので、使用者は所望の時期に温度切替室の温度帯を切り替えることができる。従って、冷蔵庫の利便性がより向上する。
【００１５】
また本発明によると、リモートコントローラに設けたタイマーの計時により温度切替室内を所定時間加熱して冷却保存する解凍モードを設けたので、容易に食品の解凍を行うことができる。従って、冷蔵庫の利便性がより向上する。
【００１６】
また本発明によると、リモートコントローラにより他の機器の動作に連動して温度切替室の温度帯を切り替えるので、使用者による操作を省略することができる。従って、冷蔵庫の利便性がより向上する。
【００１７】
また本発明によると、リモートコントローラは温度切替室の動作状態を表示する表示部を有するので、使用者は冷蔵庫から離れた位置で冷蔵庫の状態を容易に認識することができる。
【発明を実施するための最良の形態】
【００１８】
以下に本発明の実施形態を図面を参照して説明する。図１、図２は一実施形態の冷蔵庫システムの冷蔵庫を示す正面図及び右側面図である。冷蔵庫システム７０（図８参照）は冷蔵庫１及びリモートコントローラ６１（図７参照）から成っている。冷蔵庫１は、上段に冷蔵室２が配され、中段に温度切替室３及び製氷室４が配される。冷蔵庫１の下段には野菜室５及び冷凍室６が配されている。
【００１９】
冷蔵室２は観音開きの扉を有し、貯蔵物を冷蔵保存する。温度切替室３は中段左側に設けられ、使用者により室温を切り替えられるようになっている。製氷室４は中段右側に設けられ、製氷を行う。野菜室５は下段左側に設けられ、野菜の貯蔵に適した温度（約８℃）に維持される。冷凍室６は下段右側に設けられ、製氷室４に連通して貯蔵物を冷凍保存する。
【００２０】
図３は冷蔵庫１の右側面断面図である。冷凍室６及び製氷室４には貯蔵物を収納する収納ケース１１が設けられる。野菜室５及び温度切替室３にも同様の収納ケース１１が設けられる。冷蔵室２には貯蔵物を載置する複数の収納棚４１が設けられる。冷蔵室２の扉には収納ポケット４２が設けられる。これらにより、冷蔵庫１の使い勝手が向上されている。また、冷蔵室２内の下部にはチルド温度帯（約０℃）に維持されたチルド室２３が設けられている。
【００２１】
冷凍室６の背後には冷気通路３１が設けられ、冷気通路３１内には圧縮機３５に接続された冷却器１７が配される。冷蔵室２の背後には冷気通路３１と連通する冷気通路３２が設けられる。凝縮器、膨張器（いずれも不図示）が接続された圧縮機３５の駆動によりイソブタン等の冷媒が循環して冷凍サイクルが運転される。これにより、冷凍サイクルの低温側となる冷却器１７と冷気通路３１を流通する空気とが熱交換して冷気が生成される。
【００２２】
また、冷気通路３１、３２内には冷凍室送風機１８及び冷蔵室送風機２８がそれぞれ配される。詳細を後述するように、冷却器１７で生成された冷気は冷凍室送風機１８の駆動により冷気通路３１を介して冷凍室６、製氷室４、チルド室２３及び温度切替室３に供給される。また、該冷気は、冷蔵室送風機２８の駆動により冷気通路３２を介して冷蔵室２及び野菜室５に供給される。
【００２３】
図４は温度切替室３を示す右側面断面図である。温度切替室３の上下面は断熱壁７、８により冷蔵室２及び野菜室５と断熱隔離されている。また、温度切替室３の側面は図示しない断熱壁により製氷室４及び冷凍室６と断熱隔離されている。温度切替室３の前面は回動式の扉９により開閉可能になっている。温度切替室３の背面は背面板３３により覆われている。
【００２４】
背面板３３の上部には温度切替室３に空気が流入する流入口３３ａが設けられ、下部には温度切替室３から空気が流出する流出口３３ｂが設けられる。また、流入口３３ａ及び流出口３３ｂ近傍には温度切替室３内の温度を検知する温度センサ２４、１６が設けられる。
【００２５】
背面板３３の後方には、外壁を形成する断熱壁１０との間に導入通風路１２が設けられている。導入通風路１２には温度切替室吐出ダンパ１３（図５参照）が設けられ、冷気通路３１に連通して冷却器１７（図３参照）で発生した冷気を温度切替室３に導く。また、温度切替室吐出ダンパ１３の開閉により冷却器１７と温度切替室３の流入側との間の冷気経路が開閉され、開閉量によって導入通風路１２から温度切替室３に流入する風量が調整される。
【００２６】
導入通風路１２内には、温度切替室吐出ダンパ１３と流入口３３ａとの間に温度切替室送風機１４が設けられている。温度切替室送風機１４の駆動によって冷気通路３１の冷気が容易に温度切替室３に導かれる。
【００２７】
流出口３３ｂの後方には温度切替室戻りダンパ２０が設けられる。温度切替室戻りダンパ２０は開口部２０ａ、２０ｂを有し、回動により一方を開いて他方を閉じるバッフル２０ｃを有している。開口部２０ｂを開くと温度切替室３から流出する空気は戻り通風路１９（図５参照）を介して冷却器１７に導かれる。
【００２８】
開口部２０ａを開くと温度切替室３から流出する空気は温度切替室送風機１４の吸気側に導かれるとともに、温度切替室３の流出側と冷却器１７との冷気経路が閉じられる。従って、温度切替室送風機１４を駆動し、開口部２０ｂを閉じて温度切替室戻りダンパ２０を閉じることにより、矢印Ｆに示すように温度切替室３の空気を循環させることができる。尚、温度切替室送風機１４を温度切替室３内に設けてもよい。
【００２９】
温度切替室３の流入口３３ａの背後にはヒータ１５が設けられる。ヒータ１５は熱輻射式のガラス管ヒータから成り、背面板３３を介して放出される輻射熱により温度切替室３を昇温する。温度切替室送風機１４はヒータ１５の表面に向けて送風するように配置されている。これにより、ヒータ１５の表面温度を下げて安全性を向上させることができる。また、流出口３３ｂには、所定の温度まで高温になるとヒータ１５の通電を遮断する温度ヒューズ３０が設けられる。
【００３０】
温度切替室３内には貯蔵物を載置する引出し式の収納ケース１１が配されている。収納ケース１１の底面には温度センサ３４が設けられる。これにより、収納ケース１１上に載置される貯蔵物の温度を正確に検知することができる。
【００３１】
図５は冷蔵庫１の中段付近の正面断面図を示している。冷凍室６の背後の冷気通路３１は冷凍室送風機１８の前面上部を開口し、冷凍室送風機１８によって製氷室４に空気が送出される。製氷室４に連通する冷凍室６の下部には冷凍室ダンパ２２が設けられる。冷凍室６の後方下部には、冷凍室ダンパ２２を介して冷却器１７に空気を導いて冷気通路３１に戻る戻り通風路２１（図３参照）が設けられている。冷凍室ダンパ２２の開閉により冷凍室６から流出する空気の風量が調整される。
【００３２】
冷気通路３１の上部は冷蔵室ダンパ２７を介して冷気通路３２に連通する。また、冷気通路３１は分岐され、チルド室ダンパ２５を介してチルド室２３と連通するとともに、前述のように導入通風路１２（図４参照）に連通する。
【００３３】
冷蔵室２の背面下部には冷蔵室流出口（不図示）が開口し、野菜室５には野菜室流入口（不図示）が設けられる。冷蔵室流出口と野菜室流入口とは温度切替室３の背面を通る通路（不図示）により連結され、冷蔵室２と野菜室５が連通している。
【００３４】
温度切替室戻りダンパ２０は温度切替室３の左方下部に設けられる。温度切替室３及び野菜室５の背後には、温度切替室戻りダンパ２０から下方に延びて戻り通風路２１（図３参照）に連通する戻り通風路１９が設けられている。前述したように、温度切替室３内の空気は温度切替室戻りダンパ２０の開口部２０ｂ（図４参照）を開くことにより戻り通風路１９、２１を介して冷却器１７に導かれる。尚、野菜室５の背面には戻り通風路１９に連通する野菜室流出口（不図示）が設けられる。
【００３５】
図６は冷蔵庫１の冷気の流れを示す冷気回路図である。冷凍室６、冷蔵室２及び温度切替室３はそれぞれ並列に配される。また、製氷室４は冷凍室６と直列に配され、野菜室５は冷蔵室２と直列に配される。冷却器１７で生成された冷気は、冷凍室送風機１８の駆動により矢印Ａ（図５参照）に示すように冷気通路３１を上昇して製氷室４に送出される。製氷室４に送出された冷気は製氷室４及び冷凍室６を流通し、冷凍室ダンパ２２から流出する。そして、戻り通風路２１を介して冷却器１７に戻る。これにより、製氷室４及び冷凍室６内が冷却される。
【００３６】
冷凍室送風機１８の排気側となる冷気通路３１の上部で分岐した冷気は矢印Ｃ（図５参照）に示すようにチルド室２３に送出される。また、冷気通路３１の上部で分岐した冷気は冷蔵室送風機２８の駆動により冷蔵室ダンパ２７を介して矢印Ｂ（図５参照）に示すように冷気通路３２を流通し、冷蔵室２に送出される。これらの冷気は冷蔵室２及びチルド室２３を流通した後、野菜室５に流入する。野菜室５に流入した冷気は野菜室５内を流通して戻り通風路１９、２１を介して冷却器１７に戻る。これにより、冷蔵室２及び野菜室５内が冷却され、設定温度になると冷蔵室ダンパ２７及びチルド室ダンパ２３が閉じられる。
【００３７】
また、温度切替室送風機１４の駆動により、冷凍室送風機１８の排気側となる冷気通路３１の上部で分岐した冷気は矢印Ｄ（図５参照）に示すように導入通風路１２を流通し、温度切替室吐出ダンパ１３を介して温度切替室３に流入する。温度切替室３に流入した冷気は温度切替室３内を流通し、温度切替室戻りダンパ２０から流出する。そして、矢印Ｅ（図５参照）に示すように、戻り通風路１９、２１を介して冷却器１７に戻る。これにより、温度切替室３内が冷却される。
【００３８】
前述のように、温度切替室３は使用者の操作により室内温度を切り替えることができるようになっている。温度切替室３の動作モードは温度帯に応じてワイン（８℃）、冷蔵（３℃）、チルド（０℃）、ソフト冷凍（−８℃）、冷凍（−１５℃）の各冷却モードが設けられる。
【００３９】
これにより、使用者は所望の温度で貯蔵物を冷凍または冷蔵して冷却保存できる。室内温度の切り替えは温度切替室吐出ダンパ１３を開く量を可変して行うことができる。尚、例えば冷凍の室内温度から冷蔵の室内温度に切り替える際にヒータ１５に通電して昇温してもよい。これにより、迅速に所望の室内温度に切り替えることができる。
【００４０】
また、ヒータ１５に通電することにより、温度切替室３の室内温度を貯蔵物を冷却保存する低温側から調理済み加熱食品の一時的な保温や温調理等を行う高温側に切り替えることができる。この時、温度切替室吐出ダンパ１３及び温度切替室戻りダンパ２０の開口部２０ｂが閉じられ、温度切替室送風機１４が駆動される。これにより、温度切替室３内を温風が循環して高温の均一な温度に維持される。
【００４１】
高温側の室内温度は、主な食中毒菌の発育温度が３０℃〜４５℃であるため、ヒータ容量の公差や温度切替室３内の温度分布等を考慮して５０℃以上にするとよい。これにより、雑菌の繁殖を防止できる。
【００４２】
また、冷蔵庫に用いられる一般的な樹脂製部品の耐熱温度が８０℃であるため、高温側の室内温度を８０℃以下にすると安価に実現することができる。加えて、食中毒菌を滅菌するためには、例えば腸管出血性大腸菌（病原性大腸菌Ｏ１５７）の場合では７５℃で１分間の加熱が必要である。従って、高温側の室内温度を７５℃〜８０℃にするとより望ましい。
【００４３】
以下は５５℃での食中毒菌の減菌に関する試験結果である。試験サンプルは初期状態で大腸菌２．４×１０3ＣＦＵ／ｍＬ、黄色ブドウ球菌２．０×１０3ＣＦＵ／ｍＬ、サルモネラ２．１×１０3ＣＦＵ／ｍＬ、腸炎ビブリオ１．５×１０3ＣＦＵ／ｍＬ、セレウス４．０×１０3ＣＦＵ／ｍＬを含んでいる。この試験サンプルを４０分間で３℃から５５℃に加温し、５５℃で３．５時間保温後、８０分間で５５℃から３℃に戻して再度各菌の量を調べた。その結果、いずれの菌も１０ＣＦＵ／ｍＬ以下（検出せず）のレベルまで減少していた。従って、温度切替室３の高温側の設定温度を５５℃としても充分減菌効果がある。
【００４４】
図７はリモートコントローラ６１を示す平面図である。リモートコントローラ６１は表示部６４及び操作部６６を有し、冷蔵庫１と通信を行う。表示部６４は液晶パネル等から成り、後述するタイマー６３の計時の表示や温度切替室３の温度帯等を表示する。これにより、使用者は冷蔵庫１から離れた位置で冷蔵庫１の状態を容易に認識することができる。
【００４５】
操作部６６は温度帯切替キー６７及びタイマー設定キー６８から成っている。温度帯切替キー６７は温度切替室３の各温度帯を高温側（ホット）、ワイン、冷蔵、チルド、ソフト冷凍、冷凍にそれぞれ切り替える操作キー６７ａ〜６７ｆを有している。また、温度帯切替キー６７には解凍モードを指示する操作キー６７ｇが設けられる。
【００４６】
解凍モードは、タイマー６３の計時により所定時間温度切替室３を高温側で維持して冷凍食品を解凍した後、低温側に切り替えて氷点以上で冷却保存する。これにより、タイマー６３により正確に計時して食品の過熱を防止し、容易に食品の解凍を行うことができる。
【００４７】
タイマー設定キー６８はジョグダイアル６８ａと設定キー６８ｂとを有している。ジョグダイアル６８ａにより表示部６４に表示される時間の送り操作を行う。設定キー６８ｂの押下により表示部６４に表示された時間が決定される。これにより、設定時間がタイマー６３の計時により経過した際に温度切替室３を予め設定した温度帯に切り替えることができる。タイマー設定キー６８により経過時間を設定してもよく、時刻を設定してもよい。
【００４８】
尚、温度切替室３の温度帯を切り替えた際に押下された操作キー６７ａ〜６７ｇを点灯してもよい。また、タイマー６３の計時により温度切替室３の温度帯が切り替えられた際に、温度帯に対応する操作キー６７ａ〜６７ｇを点灯してもよい。
【００４９】
図８は冷蔵庫システム７０の構成を示すブロック図である。冷蔵庫１及びリモートコントローラ６１は各部を制御するＣＰＵから成る制御部５０、６２を有している。制御部５０には上記の温度センサ１６、２４、温度ヒューズ３０、ヒータ１５、冷凍室送風機１８、冷蔵室送風機２８、温度切替室送風機１４、冷凍室ダンパ２２、冷蔵室ダンパ２７、温度切替室吐出ダンパ１３、温度切替室戻りダンパ２０、チルド室ダンパ２５が接続される。これらが制御部５０により制御される。
【００５０】
また、制御部５０には通信部５１、記憶部５２、ドアスイッチ５３、操作パネル５４が接続される。通信部５１は赤外線通信、無線ＬＡＮ、有線ＬＡＮ等によりリモートコントローラ６１の通信部６３と通信を行う。記憶部５２はＲＯＭ、ＲＡＭ、ＨＤＤ等から成り、冷蔵庫１の動作プログラムやデータを格納するとともに演算の一次記憶を行う。操作パネル５４は冷蔵室２の扉等に設けられ、使用者による設定操作や運転の指示を行うとともに動作状況の表示を行う。
【００５１】
制御部６２にはタイマー６３、表示部６４、通信部６５、操作部６６が接続される。タイマー６３は所定の期間を計時する。通信部６３は通信部５１と通信を行い、操作部６５の操作情報やタイマー６３によるトリガー信号が冷蔵庫２に送信される。また、冷蔵庫１の動作状況がリモートコントローラ６１に送信され、表示部６４で表示可能になっている。
【００５２】
また、通信部６５は電子レンジ等の他の機器と通信を行うようになっている。これにより、電子レンジ等の他の機器と連動して冷蔵庫１を動作させることができる。
【００５３】
図９は、冷蔵庫１の温度切替室３の制御動作を示すフローチャートである。冷蔵庫１の電源を投入すると、温度切替室３は例えば冷蔵等の所定の温度帯に維持される。ステップ＃１１では通信部６３の受信により電子レンジの加熱調理が開始されたか否かが判断される。電子レンジの加熱調理が開始された場合はステップ＃１５に移行する。ステップ＃１５では温度切替室３の温度帯が高温側に切り替えられる。
【００５４】
これにより、加熱調理終了後の食品を直ちに高温側の温度切替室３内で保温することができる。従って、温度切替室３の温度帯を切り替える操作を省略できるとともに予め温度切替室３を高温にして加熱された食品を冷めることなく保温することができ、冷蔵庫１の利便性が向上する。電子レンジ以外の加熱調理器（例えば、オーブンや加熱蒸気調理器等）に連動して温度切替室３を高温側に切り替えてもよく、他の機器に連動して高温側以外の温度帯に切り替えてもよい。
【００５５】
電子レンジの加熱調理が開始されていない場合はステップ＃１２に移行し、操作パネル５４により温度帯の切り替え操作が行われた否かが判断される。操作パネル５４により温度帯の切り替え操作が行われた場合はステップ＃１５に移行する。ステップ＃１５では温度切替室３が操作パネル５４で指示された温度帯に切り替えられる。
【００５６】
操作パネル５４により温度帯の切り替え操作が行われていない場合はステップ＃１３に移行し、リモートコントローラ６１の温度帯切替キー６７により温度帯の切り替え操作が行われたか否かが判断される。温度帯切替キー６７により温度帯の切り替え操作が行われた場合はステップ＃１５に移行する。ステップ＃１５では温度切替室３が温度帯切替キー６７で指示された温度帯に切り替えられる。
【００５７】
温度帯切替キー６７により温度帯の切り替え操作が行われていない場合はステップ＃１４に移行し、タイマー６３の計時によりタイマー設定キー６８による設定時間が経過したか否かが判断される。タイマー設定キー６８による設定時間が経過した場合はステップ＃１５に移行する。
【００５８】
ステップ＃１５では温度切替室３がタイマー６３の設定時に設定された温度帯に切り替えられる。これにより、使用者は所望の時期に温度切替室３の温度帯を切り替えることができる。タイマー設定キー６８により時間設定されていない場合や設定された時間が経過していない場合はステップ＃１１に戻り、ステップ＃１１〜＃１４が繰り返し行われる。
【００５９】
本実施形態によると、貯蔵物を冷却保存する低温側と加熱食品を保温する高温側とに室内温度を切り替えできる温度切替室３を備えたので、別途保温庫等を必要とせず使用者の経済的な負担を軽減するとともに保温庫等の設置場所の確保を不要にして加熱食品を保温できる利便性の高い冷蔵庫１を提供することができる。
【００６０】
また、温度切替室３の温度帯を切り替えるリモートコントローラ６１を備えるので、使用者は調理等を行いながら冷蔵庫１から離れて温度切替室３の温度帯を切り替えることができる。従って、冷蔵庫１の利便性がより向上する。
【００６１】
尚、本実施形態において、野菜室５の流出口にダンパを設けてもよい。これにより、温度切替室３を高温側から低温側に切り替えた際に、該ダンパを閉じて温度切替室３からの熱風が野菜室５に逆流することを防止できる。また、温度切替室３を高温側から低温側へ切り替える際に冷凍室送風機１８が停止されている場合には、冷凍室ダンパ２２が閉じられるようになっている。これにより、温度切替室送風機１４の駆動によって冷凍室ダンパ２２から冷凍室６内へ熱風が逆流することを防止できる。
【００６２】
また、冷却器１７によって冷凍室６及び冷蔵室２を冷却しているが、冷蔵室２及び野菜室５専用の冷却器を別途設けてもよい。この時、冷却器１７によって冷凍室６及び温度切替室３を冷却することができる。
【産業上の利用可能性】
【００６３】
本発明によると、温度切替室を有した冷蔵庫に利用することができる。
【図面の簡単な説明】
【００６４】
【図１】本発明の実施形態の冷蔵庫システムの冷蔵庫を示す正面図
【図２】本発明の実施形態の冷蔵庫システムの冷蔵庫を示す右側面図
【図３】本発明の実施形態の冷蔵庫システムの冷蔵庫を示す右側面断面図
【図４】本発明の実施形態の冷蔵庫システムの冷蔵庫の温度切替室を示す右側面断面図
【図５】本発明の実施形態の冷蔵庫システムの冷蔵庫の中段部を示す正面断面図
【図６】本発明の実施形態の冷蔵庫システムの冷蔵庫の冷気の流れを示す冷気回路図
【図７】本発明の実施形態の冷蔵庫システムのリモートコントローラを示す平面図
【図８】本発明の実施形態の冷蔵庫システムの構成を示すブロック図
【図９】本発明の実施形態の冷蔵庫の温度切替室の制御動作を示すフローチャート
【符号の説明】
【００６５】
１    冷蔵庫
２    冷蔵室
３    温度切替室
４    製氷室
５    野菜室
６    冷凍室
９    扉
１２    導入通風路
１３    温度切替室吐出ダンパ
１４    温度切替室送風機
１５    ヒータ
１７    冷却器
１６、２４、３４  温度センサ
１８    冷凍室送風機
１９、２１  戻り通風路
２０    温度切替室戻りダンパ
２２    冷凍室ダンパ
２５    チルド室ダンパ
２８    冷蔵室送風機
３０    温度ヒューズ
３１、３２  冷気通路
３３    背面板
３５    圧縮機
５０、６２  制御部
５１、６５  通信部
５２    記憶部
５３    ドアスイッチ
５４    操作パネル
６１    リモートコントローラ
６３    タイマー
６４    表示部
６６    操作部
７０    冷蔵庫システム
【図１】
2007120876.tif 000003
【図２】
2007120876.tif 000004
【図３】
2007120876.tif 000005
【図４】
2007120876.tif 000006
【図５】
2007120876.tif 000007
【図６】
2007120876.tif 000008
【図７】
2007120876.tif 000009
【図８】
2007120876.tif 000010
【図９】
2007120876.tif 000011